【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
データ放送データに含まれる、印刷データの存在位置を示す参照先情報をプリンタに送信する方式のデータ放送印刷を実行可能であるとともに、データ放送データを蓄積部に記録可能な放送受信装置であって、
データ放送データの記録中に、当該データ放送データが変化したか否かを検知する検知手段と、
前記検知手段によりデータ放送データの変化が検知された場合、変化したデータ放送データに含まれる参照先情報に対応する印刷データを取得する取得手段と、
前記取得手段で取得した印刷データを、当該印刷データに対応する参照先情報を含んでいたデータ放送データと関連づけて前記蓄積部に記録する記録手段と、
前記蓄積部に記録されたデータ放送データに基づくデータ放送番組の再生を行う再生手段と、
前記蓄積部に記録されたデータ放送データに基づくデータ放送番組の再生中にデータ放送印刷の実行指示がユーザから入力された場合、当該指示が入力された時点で再生していたデータ放送データに含まれた参照先情報に対応する印刷データの取得処理を実行する実行手段と、
前記実行手段による取得処理の結果、前記指示が入力された時点で再生していたデータ放送データに含まれた参照先情報に対応する印刷データが取得出来なかった場合、当該指示が入力された時点で再生していたデータ放送データに関連づけられて前記蓄積部に記録された印刷データを用いてデータ放送印刷を実行する制御手段と、
を有することを特徴とする放送受信装置。
【請求項２】
前記制御手段は、前記蓄積部に記録された印刷データを参照するための参照先情報を生成し、プリンタに送信することを特徴とする請求項１に記載の放送受信装置。
【請求項３】
前記制御手段は、前記実行手段による取得処理の結果、前記指示が入力された時点で再生していたデータ放送データに含まれた参照先情報に対応する印刷データの取得が可能である場合、当該取得可能な印刷データに基づく印刷を実行するか、データ放送データの記録時に取得した印刷データを用いて印刷を実行するかをユーザに問い合わせるためのダイアログを表示することを特徴とする請求項１に記載の放送受信装置。
【請求項４】
前記制御手段は、前記検知手段によってデータ放送データの変化が検知された場合、変化したデータ放送データに含まれる参照先情報に対応する印刷データが、データ放送データの変化前に既に取得した印刷データと同一である場合は、当該同一の印刷データを取得せずに、既に取得されて前記蓄積部に記録された印刷データを参照するように制御することを特徴とする請求項１乃至３のいずれか１項に記載の放送受信装置。
【請求項５】
データ放送データに含まれる、印刷データの存在位置を示す参照先情報をプリンタに送信する方式のデータ放送印刷を実行可能であるとともに、データ放送データを蓄積部に記録可能な放送受信装置の制御方法であって、
データ放送データの記録中に、当該データ放送データが変化したか否かを検知する検知ステップと、
前記検知ステップによりデータ放送データの変化が検知された場合、変化したデータ放送データに含まれる参照先情報に対応する印刷データを取得する取得ステップと、
前記取得ステップで取得した印刷データを、当該印刷データに対応する参照先情報を含んでいたデータ放送データと関連づけて前記蓄積部に記録する記録ステップと、
前記蓄積部に記録されたデータ放送データに基づくデータ放送番組の再生を行う再生ステップと、
前記蓄積部に記録されたデータ放送データに基づくデータ放送番組の再生中にデータ放送印刷の実行指示がユーザから入力された場合、当該指示が入力された時点で再生していたデータ放送データに含まれた参照先情報に対応する印刷データの取得処理を実行する実行ステップと、
前記実行ステップでの取得処理の結果、前記指示が入力された時点で再生していたデータ放送データに含まれた参照先情報に対応する印刷データが取得出来なかった場合、当該指示が入力された時点で再生していたデータ放送データに関連づけられて前記蓄積部に記録された印刷データを用いてデータ放送印刷を実行する制御ステップと、
を有することを特徴とする放送受信装置の制御方法。
【請求項６】
前記制御ステップでは、前記蓄積部に記録された印刷データを参照するための参照先情報を生成し、プリンタに送信することを特徴とする請求項５に記載の放送受信装置の制御方法。
【請求項７】
前記制御ステップでは、前記実行ステップでの取得処理の結果、前記指示が入力された時点で再生していたデータ放送データに含まれた参照先情報に対応する印刷データの取得が可能である場合、当該取得可能な印刷データに基づく印刷を実行するか、データ放送データの記録時に取得した印刷データを用いて印刷を実行するかをユーザに問い合わせるためのダイアログを表示することを特徴とする請求項５に記載の放送受信装置の制御方法。
【請求項８】
前記制御ステップでは、前記検知ステップによってデータ放送データの変化が検知された場合、変化したデータ放送データに含まれる参照先情報に対応する印刷データが、データ放送データの変化前に既に取得した印刷データと同一である場合は、当該同一の印刷データを取得せずに、既に取得されて前記蓄積部に記録された印刷データを参照するように制御することを特徴とする請求項５乃至７のいずれか１項に記載の放送受信装置の制御方法。
【手続補正２】
【補正対象書類名】明細書
【補正対象項目名】００１０
【補正方法】変更
【補正の内容】
【００１０】
上記目的を達成するために、本発明の放送受信装置は、データ放送データに含まれる、印刷データの存在位置を示す参照先情報をプリンタに送信する方式のデータ放送印刷を実行可能であるとともに、データ放送データを蓄積部に記録可能な放送受信装置であって、データ放送データの記録中に、当該データ放送データが変化したか否かを検知する検知手段と、前記検知手段によりデータ放送データの変化が検知された場合、変化したデータ放送データに含まれる参照先情報に対応する印刷データを取得する取得手段と、前記取得手段で取得した印刷データを、当該印刷データに対応する参照先情報を含んでいたデータ放送データと関連づけて前記蓄積部に記録する記録手段と、前記蓄積部に記録されたデータ放送データに基づくデータ放送番組の再生を行う再生手段と、前記蓄積部に記録されたデータ放送データに基づくデータ放送番組の再生中にデータ放送印刷の実行指示がユーザから入力された場合、当該指示が入力された時点で再生していたデータ放送データに含まれた参照先情報に対応する印刷データの取得処理を実行する実行手段と、前記実行手段による取得処理の結果、前記指示が入力された時点で再生していたデータ放送データに含まれた参照先情報に対応する印刷データが取得出来なかった場合、当該指示が入力された時点で再生していたデータ放送データに関連づけられて前記蓄積部に記録された印刷データを用いてデータ放送印刷を実行する制御手段と、を有する。
【手続補正３】
【補正対象書類名】明細書
【補正対象項目名】００１１
【補正方法】変更
【補正の内容】
【００１１】
また、上記目的を達成するために、本発明の放送受信装置の制御方法は、データ放送データに含まれる、印刷データの存在位置を示す参照先情報をプリンタに送信する方式のデータ放送印刷を実行可能であるとともに、データ放送データを蓄積部に記録可能な放送受信装置の制御方法であって、データ放送データの記録中に、当該データ放送データが変化したか否かを検知する検知ステップと、前記検知ステップによりデータ放送データの変化が検知された場合、変化したデータ放送データに含まれる参照先情報に対応する印刷データを取得する取得ステップと、前記取得ステップで取得した印刷データを、当該印刷データに対応する参照先情報を含んでいたデータ放送データと関連づけて前記蓄積部に記録する記録ステップと、前記蓄積部に記録されたデータ放送データに基づくデータ放送番組の再生を行う再生ステップと、前記蓄積部に記録されたデータ放送データに基づくデータ放送番組の再生中にデータ放送印刷の実行指示がユーザから入力された場合、当該指示が入力された時点で再生していたデータ放送データに含まれた参照先情報に対応する印刷データの取得処理を実行する実行ステップと、前記実行ステップでの取得処理の結果、前記指示が入力された時点で再生していたデータ放送データに含まれた参照先情報に対応する印刷データが取得出来なかった場合、当該指示が入力された時点で再生していたデータ放送データに関連づけられて前記蓄積部に記録された印刷データを用いてデータ放送印刷を実行する制御ステップと、を有する。